(57)【要約】【課題】製品の全体を複数に分割した部品を連結して平面的又は立体的な製品形状を構成する連結構造において、強固な連結が行われ、大きな形状や複雑な形状を有する製品の連結を容易にする。【解決手段】分割は３以上として、Ｔ字状の分割ライン３を形成する。そして、Ｔ字の縦辺の分割ライン３１における連結、及び前記Ｔ字の横辺の分割ライン３３における連結を行うために、嵌合部を用いる。縦辺の分割ライン３１における連結を外そうとする力Ｆ１が働いても、横辺の分割ライン３３における連結がなされている上の部品Ｃがストッパーとなって、連結は外れない。また、横辺の分割ライン３３における連結を外そうとする力Ｆ２が働いても、それ以前に縦辺の分割ライン３１における連結が緩んでいることが多く、その分、横辺の分割ライン３３における連結はきつくなっており、連結は外れにくい。【選択図】図1
0003157286.tif 000002
【実用新案登録請求の範囲】
【請求項１】
製品の全体を複数に分割した部品を連結して平面的又は立体的な製品形状を構成する連結構造において、分割は３以上であり、Ｔ字状の分割ラインと、前記Ｔ字の縦辺の分割ラインにおける連結、及び前記Ｔ字の横辺の分割ラインにおける連結を行うために、連結面に形成された嵌合部と、を有することを特徴とする連結構造。
【請求項２】
商品を包装するためのプラスチック製の外装製品の全体を複数に分割し、その分割した部品を連結して立体的な製品形状を構成する連結構造において、分割は３以上であり、前記立体的な形状の周上に形成される閉じた第１分割ラインと、この第１分割ラインに対して終始点が位置して直交する第２分割ラインと、前記直交する部分でＴ字状をなす分割ラインの該Ｔ字の縦辺の分割ラインにおける連結、及び前記Ｔ字の横辺の分割ラインにおける連結を行うために、連結面に形成された嵌合部と、を有することを特徴とする連結構造。
【考案の詳細な説明】
【技術分野】
【０００１】
この考案は、例えば商品を包装するためのプラスチック製の外装製品は、全体を複数に分割し、その分割した部品を連結して立体的な製品形状を構成するが、そのような連結構造に関する。
【背景技術】
【０００２】
図６に示すように、例えば玩具などの商品を包装するため、球状のプラスチック製の外装製品１０１が用いられる。この外装製品１０１は、全体を上下二つに分割し、その分割して半球状に形成された部品１０３を、連結して立体的な製品形状を構成する。この連結構造は、一方の半球状の連結面に、円状の縁に沿ってＬ字状の嵌合部１０５Ａが形成され、他方の半球状の連結面に、円状の縁に沿って、前記嵌合部１０５Ａを受ける他のＬ字状の嵌合部１０５Ｂが形成される。包装するときは、半球状の両部品を押圧して、嵌合を行い、連結する。包装を解くときは、半球状の両部品を引っ張って、連結を外す。
【０００３】
このような嵌合による連結は、外装製品１０１のように立体的な製品だけではなく、図７に示すミニカー用のレール１０７などのような平面的な製品形状を構成する連結構造においても採用される。
特許文献１では、立体的な製品の連結を行う嵌合突起が、爪を有し、連結を強固に行う技術が開示される。
特許文献２では、玩具商品を包装するため、球状のプラスチック製の外装製品１０１において、半球状部品の円状の縁に沿って、Ｌ字状の嵌合部１０５に、より強固な嵌合を行うための凹凸が、周方向に複数設けられる。
【特許文献１】特開平０８−１８５５６４
【特許文献２】特開平０７−１４８３５８
【考案の開示】
【考案が解決しようとする課題】
【０００４】
しかしながら、従来の外装製品の連結構造は、連結のための嵌合を強固にするために嵌合部分に局部的ないろいろの工夫がなされるものの、十分ではなく、大きな形状や複雑な形状を有する製品の連結は行われにくかった。このような課題は、外装製品以外の製品にも存在する。
【０００５】
この考案は、以上の問題点を解決するために、製品の全体を複数に分割した部品を連結して平面的又は立体的な製品形状を構成する連結構造において、強固な連結が行われ、大きな形状や複雑な形状を有する製品の連結を容易にする連結構造を提供することを目的とする。
【課題を解決するための手段】
【０００６】
以上の課題を解決するために、第一考案は、製品の全体を複数に分割した部品を連結して平面的又は立体的な製品形状を構成する連結構造において、分割は３以上であり、Ｔ字状の分割ラインと、前記Ｔ字の縦辺の分割ラインにおける連結、及び前記Ｔ字の横辺の分割ラインにおける連結を行うために、連結面に形成された嵌合部と、を有することを特徴とする連結構造である。
【０００７】
第二考案は、商品を包装するためのプラスチック製の外装製品の全体を複数に分割し、その分割した部品を連結して立体的な製品形状を構成する連結構造において、分割は３以上であり、前記立体的な形状の周上に形成される閉じた第１分割ラインと、この第１分割ラインに対して終始点が位置して直交する第２分割ラインと、前記直交する部分でＴ字状をなす分割ラインの該Ｔ字の縦辺の分割ラインにおける連結、及び前記Ｔ字の横辺の分割ラインにおける連結を行うために、連結面に形成された嵌合部と、を有することを特徴とする連結構造である。
【考案の効果】
【０００８】
第一、又は第二考案によれば、分割を３以上としてＴ字状の分割ラインを形成し、前記Ｔ字の縦辺の分割ラインにおける連結、及び前記Ｔ字の横辺の分割ラインにおける連結を、嵌合部で行う。
これにより、縦辺の分割ラインにおける連結を外そうとする力が働いても、横辺の分割ラインにおける連結がなされている上の部品がストッパーとなって、連結は外れない。
また、横辺の分割ラインにおける連結を外そうとする力が働いても、それ以前に縦辺の分割ラインにおける連結が緩んでいることが多く、この緩みにより左右の部品の位置は微少寸法離れており、その分、横辺の分割ラインにおける連結はきつくなっており、連結は外れにくい。よって、強固な連結が行われる。
【０００９】
また、Ｔ字状の分割ラインを一つ、又は二つ以上形成し、大きな形状や複雑な形状を有する製品の連結を容易にする。
【考案を実施するための最良の形態】
【００１０】
この考案の第１実施形態を、図１に示す。
この実施形態は、図示しない玩具商品を包装するためのプラスチック製の外装製品１である。ここでプラスチックとは、PVC、FRP、ウレタン樹脂、ABS等の素材が含まれる。外装製品１の全体を３つに分割し、その分割して形成された３つの部品Ａ，Ｂ，Ｃを連結して、立体的な製品形状を構成する。この製品形状は、縦長の略楕円球状である。二つの分割ライン３（５，７）で、３つに分割される。
【００１１】
一つは、縦長の略楕円球状を有する外装製品１の周上に形成される閉じた第１分割ライン５で、外装製品１を分割する水平な断面上にある。二つは、この第１分割ライン５の上に、終始点が２点とも位置し、各点で直交する第２分割ライン７で、外装製品１の下半分を分割する垂直な断面上にある。
【００１２】
第１分割ライン５と第２分割ライン７が直交する２点で、分割ライン３はＴ字状をなす。このＴ字の縦辺の分割ライン３１における連結、及び前記Ｔ字の横辺の分割ライン３３における連結を行うために、凸部９と凹部１１からなる嵌合部、及びＬ字状の嵌合部が用いられる。
すなわち、縦辺の分割ライン３１は、Ｕ字状をなすが、このＵ字状に沿った一方の連結面４１には、ベロと呼ばれる凸部９１が形成される。このベロは、連結面の長手方向に沿って湾曲する、平たい形状を有する。他方の連結面４２には、ベロが嵌合するベロ受けと呼ばれる凹部１１が形成される。
【００１３】
他方、横辺の分割ライン３３は、円形状をなすが、この円形状に沿った一方の連結面４３には、雄型のＬ字状断面の凸部９２が形成される。この凸部９２は、連結面４３の長手方向に沿って半円形状に湾曲する、平たい形状を有する。他方の連結面４４には、この凸部９２が嵌合する雌型のＬ字状断面の凹部（図示せず）が形成される。
【００１４】
「実施形態の効果」
この第１実施形態によれば、これにより、Ｔ字の縦辺の分割ライン３１における連結を外そうとする力、すなわち左右へ離そうとする力Ｆ１が働いても、横辺の分割ライン３３における連結がなされている上の部品Ｃがストッパーとなって、連結は外れない。
【００１５】
また、横辺の分割ライン３３における連結を外そうとする力、すなわち上下へ離そうとする力Ｆ２が働いても、それ以前に縦辺の分割ライン３１における連結が緩んでいることが多く、この緩みにより左右の部品Ａ，Ｂの位置は微少寸法、左右に離れている。その分、横辺の分割ライン３３における連結はきつくなっており、連結は外れにくい。よって、強固な連結が行われる。
【００１６】
また、Ｔ字状の分割ライン３を二つ５、７形成し、略楕円球状の大きな形状を有する外装製品１の連結を容易にする。
【００１７】
「他の実施形態」
（１）以上の第１実施形態では、分割ライン３は二つであり、分割して形成されるのは、３つの部品Ａ，Ｂ，Ｃであったが、他の実施形態では、分割ライン３は三つ以上でもよく、分割して形成されるのは、４つ以上でもよい。
【００１８】
例えば、図２に示す第２実施形態のように、分割ライン３は四つとし、分割して形成されるのは、４つの部品Ａ１，Ｂ１，Ｃ、Ｄであってもよい。
分割ライン３のうち二つは、縦長の略楕円球状を有する外装製品１の周上に形成される閉じた第１分割ライン５（５Ａ，５Ｂ）で、外装製品１を分割する水平な断面上にある。この水平な断面は二つあり互いに離れている。他の二つは、第２分割ライン７で、前記二つの第１分割ライン５の上に、終始点がそれぞれ位置する。このようにして分割ライン３は４点で直交し、Ｔ字状をなす。各分割ライン３における連結を行うために、凸部９（９１，９２）と凹部１１の嵌合が用いられる。
【００１９】
また、うち一つの部品Ａ１には、内部の商品が見えるようにするための窓１３が形成される。なお、図１とほぼ同様の部分には、同じ符号を付す。
（２）以上の第１、又は第２実施形態では、外装製品１の概略全体形状は略楕円球状であったが、他の実施形態では、それ以外の形状でもよい。例えば、図３に示す第３実施形態のように、概略全体形状が、略楕円球状の一部を切り取った如き形状であってもよい。分割して形成されるのは、４つの部品Ａ２，Ｂ１，Ｃ２、Ｄ２である。なお、図１、図２とほぼ同様の部分には、同じ符号を付す。
【００２０】
（３）図４に示す第４実施形態のように、分割ライン３は六つとし、分割して形成されるのは、６つの部品Ａ３，Ａ４，Ｂ２，Ｂ３，Ｃ、Ｄ３であってもよい。
分割ライン３のうち二つは、縦長の略楕円球状を有する外装製品１の周上に形成される閉じた第１分割ライン５（５Ａ，５Ｂ）で、外装製品１を分割する水平な断面上にある。水平な断面は二つあり互いに離れている。
他の三つは、第２分割ライン７（７Ａ，７Ｂ，７Ｃ）で、前記二つの第１分割ライン５（５Ａ，５Ｂ）の上に、終始点がそれぞれ位置するもので、縦に存在する。この三つの第２分割ライン７（７Ａ，７Ｂ，７Ｃ）は、互いに平行である。なお、第２分割ライン７Ｃは、製品の背後に位置し、図示しない。
最後の一つは、縦に存在する二つの第２分割ライン７Ｂ，７Ｃの上に、終始点がそれぞれ位置する別の第２分割ライン７Ｄで、横に存在し、前記水平な断面と平行な位置にある。
なお、図１、図２、図３とほぼ同様の部分には、同じ符号を付す。もっとも、横辺の分割ライン３３の円形状に沿った一方の連結面４３には、ベロと呼ばれる凸部９２が形成される。他方の連結面４４には、この凸部９２が嵌合するベロ受けと呼ばれる凹部が形成される。
【００２１】
（４）以上の実施形態では、製品は、玩具商品を包装するためのプラスチック製の外装製品１であったが、他の実施形態では、他の製品にも、本発明は実施できる。例えば、人間や動物のように関節を有する生物の模型において、模型のうち関節以外の部分を構成する部分を、製品としてもよい。なお、ここにいう模型とは、実際の人間が撮影などできる着るものも含まれる。
【００２２】
（５）また、図５に示す第６実施形態のように、立体的な製品を、ミニカーのボディーとしてもよい。
（６）分割した部品の接合部に互換性を持たせることで、この発明の連結構造を
使用して簡単にパーツの換装を可能にすることを目的にした製品としても良い。
以上の実施形態においても、図２から図４の各部品は、互換性を持たせ、各部品
に付した共通の符号A1、A2、A3+A4、B1はその互換性を示すものである。
（７）Ｔ字状の分割ラインは、必ずしも９０°となるものには限らず、９０°±α°であってもよい。以上の実施形態においても、例えば図２〜図３の部品ＤとＤ１は９０°±α°である。
（８）Ｔ字状の分割ラインは、必ずしも直線に限定されるものではなく、曲線や一部折れ線を含むものでもよい。
【図面の簡単な説明】
【００２３】
【図１】（Ａ）は、この考案の第１実施形態を示す製品の全体斜視図、（Ｂ）は（Ａ）の分解図である。
【図２】（Ａ）は、この考案の第２実施形態を示す製品の全体斜視図、（Ｂ）は（Ａ）の分解図である。
【図３】（Ａ）は、この考案の第３実施形態を示す製品の全体斜視図、（Ｂ）は（Ａ）の分解図である。
【図４】（Ａ）は、この考案の第４実施形態を示す製品の全体斜視図、（Ｂ）は（Ａ）の分解図である。
【図５】（Ａ）は、この考案の第４実施形態を示す製品としての模型自動車ボディーの全体斜視図、（Ｂ）は（Ａ）の分解図である。
【図６】（Ａ）は、従来の外装製品を示す全体斜視図、（Ｂ）は（Ａ）の分解図である。
【図７】従来の平面的な製品を示す分解斜視図である。
【符号の説明】
【００２４】
１…外装製品、３…分割ライン、５…第１分割ライン、７…第２分割ライン、９…凸部、１１…凹部、１３…窓、１０１…外装製品、１０３…部品、１０５…嵌合部、１０７…レール。
【図１】
0003157286.tif 000003
【図２】
0003157286.tif 000004
【図３】
0003157286.tif 000005
【図４】
0003157286.tif 000006
【図６】
0003157286.tif 000007
【図７】
0003157286.tif 000008
【図５】
0003157286.tif 000009
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
外装的な製品の全体を複数に分割した部品を連結して立体的な製品形状を構成する連結構造において、分割は３以上であり、Ｔ字状の分割ラインと、前記Ｔ字の縦辺の分割ラインにおける連結、及び前記Ｔ字の横辺の分割ラインにおける連結を行うために、連結面に形成された嵌合部と、を有することを特徴とする連結構造。
【請求項２】
商品を包装するためのプラスチック製の外装製品の全体を複数に分割し、その分割した部品を連結して立体的な製品形状を構成する連結構造において、分割は３以上であり、前記立体的な形状の周上に形成される閉じた第１分割ラインと、この第１分割ラインに対して終始点が位置して直交する第２分割ラインと、前記直交する部分でＴ字状をなす分割ラインの該Ｔ字の縦辺の分割ラインにおける連結、及び前記Ｔ字の横辺の分割ラインにおける連結を行うために、連結面に形成された嵌合部と、を有することを特徴とする連結構造。
【手続補正２】
【補正対象書類名】明細書
【補正対象項目名】０００６
【補正方法】変更
【補正の内容】
【０００６】
以上の課題を解決するために、第一考案は、外装的な製品の全体を複数に分割した部品を連結して立体的な製品形状を構成する連結構造において、分割は３以上であり、Ｔ字状の分割ラインと、前記Ｔ字の縦辺の分割ラインにおける連結、及び前記Ｔ字の横辺の分割ラインにおける連結を行うために、連結面に形成された嵌合部と、を有することを特徴とする連結構造である。